(57)【特許請求の範囲】
【請求項１】
検査または測定を行うための検眼部を有し該検眼部を被検眼に対して所定の位置関係に位置合わせする眼科装置において、
前記検眼部を被検眼に対して相対移動する移動手段と、
被検眼の前眼部を正面から観察するための観察光学系と、
複数の固視標を持ち、被検眼の固視方向を誘導する固視光学系と、
観察光学系の光軸に対しそれぞれ傾斜して配置され、複数の斜め方向から被検眼の角膜に向けてアライメント指標をそれぞれ投影するアライメント指標投影光学系と、
被検眼の角膜上に形成された前記アライメント指標を受光して、その受光結果に基づいて被検眼に対する検眼部のアライメント状態を検出するアライメント検出手段と、
を備え、
前記アライメント検出手段は、前記複数の固視標から選択された固視標の位置に応じて、アライメント状態の検出に用いるアライメント指標を変更することを特徴とする眼科装置。
【請求項２】
請求項１の眼科装置において、
前記アライメント検出手段は、前記アライメント指標の高さから作動距離方向におけるアライメント状態を検出することを特徴とする眼科装置。
【発明の詳細な説明】
【技術分野】
【０００１】
本発明は、被検眼に対して装置を所定の位置関係に位置合わせする眼科装置に関する。
【背景技術】
【０００２】
眼の測定又は検査を行うための検眼部を有する眼科装置において、従来では、指標投影光学系により指標像が角膜上に形成され、その指標像を用いて検眼部が眼にアライメントされる。
【０００３】
従来のアライメント光学系としては、被検眼の斜め方向から角膜輝点を投影する方式（特許文献１参照）が知られている。そして、角膜で反射された指標像が撮像素子により受光され、指標像の受光位置に基づいてアライメントずれが検出され、自動アライメント・ガイド表示などが行われる。
【０００４】
また、角膜内皮細胞撮影装置（スペキュラマイクロスコープ）や角膜形状測定装置では、角膜周辺部を撮影・測定するため、上下左右に振られた眼に対してアライメントが行われる。
【先行技術文献】
【特許文献】
【０００５】
【特許文献１】特開平１０−７１１２２号公報
【発明の概要】
【発明が解決しようとする課題】
【０００６】
しかしながら、上記のように眼の周辺部を測定・撮影するとき、角膜中心からの離心率に起因する角膜曲率の変化（平坦化）によって、角膜輝点が規則正しい位置に形成されない可能性がある。また、角膜輝点が虹彩に係り、指標の形状が大きく歪んでしまう可能性がある。
【０００７】
このような場合、指標像の位置検出精度に影響が生じ、アライメントずれが精度よく検出されない。そして、結果的には、自動アライメント・ガイド表示が適正に行われず、アライメントに時間がかかってしまう。
【０００８】
本発明は、上記問題点を鑑み、眼の周辺部の撮影・測定をスムーズに行うことができる眼科装置を提供することを技術課題とする。
【課題を解決するための手段】
【０００９】
上記課題を解決するために、本発明は以下のような構成を備えることを特徴とする。
【００１０】
（１）
検査または測定を行うための検眼部を有し該検眼部を被検眼に対して所定の位置関係に位置合わせする眼科装置において、
前記検眼部を被検眼に対して相対移動する移動手段と、
被検眼の前眼部を正面から観察するための観察光学系と、
複数の固視標を持ち、被検眼の固視方向を誘導する固視光学系と、
観察光学系の光軸に対しそれぞれ傾斜して配置され、複数の斜め方向から被検眼の角膜に向けてアライメント指標をそれぞれ投影するアライメント指標投影光学系と、
被検眼の角膜上に形成された前記アライメント指標を受光して、その受光結果に基づいて被検眼に対する検眼部のアライメント状態を検出するアライメント検出手段と、
を備え、
前記アライメント検出手段は、前記複数の固視標から選択された固視標の位置に応じて、アライメント状態の検出に用いるアライメント指標を変更することを特徴とする。
（２）  （１）の眼科装置において、
前記アライメント検出手段は、前記アライメント指標の高さから作動距離方向におけるアライメント状態を検出することを特徴とする。
【発明の効果】
【００１１】
本発明によれば、眼の周辺部の撮影・測定をスムーズに行うことができる。
【発明を実施するための形態】
【００１２】
本発明の一実施形態について図面に基づいて説明する。図１は、本実施形態に係る眼科装置の外観構成図である。なお、以下の説明では、眼科装置として角膜内皮細胞撮影装置を例にして説明する。
【００１３】
角膜内皮細胞撮影装置１００は、いわゆる据え置き型の角膜内皮細胞撮影装置であって、基台１と、基台１に取り付けられた顔支持ユニット２と、図示なき摺動機構により基台１上に移動可能に設けられた移動台３と、移動台３に移動可能に設けられ、後述する撮影系及び光学系を収納する撮影部（装置本体）４と、を備える。
【００１４】
撮影部４は、移動台３に設けられたＸＹＺ駆動部６により、被検眼Ｅに対して左右方向（Ｘ方向）、上下方向（Ｙ方向）及び前後方向（Ｚ方向）に移動される。移動台３は、ジョイスティック５の操作により、基台１上をＸＺ方向に移動される。また、検者が回転ノブ５ａを回転操作することにより、撮影部４はＸＹＺ駆動部６のＹ駆動によりＹ方向に移動される。ジョイスティック５の頂部には、撮影開始スイッチ５ｂが設けられている。移動台３には、表示モニタ９５が設けられている。なお、本実施形態では、図示なき摺動機構又はＸＹＺ駆動部６により撮影部４が眼Ｅに対して相対的に移動される。
【００１５】
図２は、撮影部３に収納された光学系を上方から見たとき光学配置と，制御系の構成の一例を示す概略構成図である。図３は第１投影光学系、第２投影光学系、外部固視光学系を被検者側からみたときの図である。光学系の全体構成としては、斜めから角膜Ｅｃを照明する照明光学系１０と、斜めから角膜Ｅｃの内皮細胞を撮影する撮影光学系３０と、正面から角膜Ｅｃにアライメント指標を投影する正面投影光学系５０と、斜めから角膜Ｅｃに無限遠のアライメント指標を投影する第１投影光学系６０ａ，６０ｂと、複数の斜め方向から角膜Ｅｃ周辺に向けて有限遠のアライメント指標をそれぞれ投影する第２投影光学系６５ａ〜６５ｄ（図３参照）、眼Ｅに対して内部から固視標を投影する内部固視光学系７０と、外部から固視標を投影する外部固視光学系７５ａ〜７５ｆと、正面から眼Ｅの前眼部を観察するための前眼部観察光学系８０と、が設けられている。以下に、個々の具体的構成について説明する。
【００１６】
照明光学系１０は、内皮撮影用の可視光を発する照明光源（例えば、可視ＬＥＤ、フラッシュランプ）１２、集光レンズ１４、スリット板１６、投光レンズ２０、を有する。照明光源１２から発せられた光は、集光レンズ１４により集光され、スリット板１６を照明する。そして、スリット板１６を通過した光は、投光レンズ２０によって収束され、角膜に照射される。
【００１７】
撮影光学系３０は、対物レンズ３２、全反射ミラー３４、マスク３５、結像レンズ３６、ハーフミラー３８、二次元撮像素子４０、を有する。照明光源１２による角膜反射光は、対物レンズ３２によって集光された後、全反射ミラー３４によって反射され、マスク３５にて一旦結像され、内皮細胞像を撮影する際にノイズとなる光が遮光される。そして、マスク３５を通過した光は、結像レンズ３６、ハーフミラー３８を介して二次元撮像素子４０に結像される。これにより、高倍率の角膜内皮細胞像が撮影される。なお、撮像素子４０の出力は、制御部９０に接続され、撮影された細胞像は、メモリ９２に記憶される。また、撮影像はモニタ９５に表示される。
【００１８】
正面投影光学系５０は、赤外光源５１、投光レンズ５３、ハーフミラー５５、を有し、ＸＹアライメント検出用の赤外光を観察光軸Ｌ１方向から角膜Ｅｃに投影する。光源５１から発せられた赤外光は、投光レンズ５３により平行光束に変換された後、ハーフミラー５５により反射され、角膜Ｅｃに投影され、指標ｉ１０が形成される（図４参照）。
【００１９】
第１投影光学系６０ａ，６０ｂは、光軸Ｌ１に対して所定の角度でそれぞれ傾斜して配置されている。第１投影光学系６０ａ，６０ｂは、赤外光源６１ａ、６１ｂと、コリメータレンズ６３ａ、６３ｂと、をそれぞれ有し、光軸Ｌ１を挟んで左右対称に配置され、眼Ｅに対して無限遠の指標を投影する（図２参照）。なお、第１投影光学系６０ａ，６０ｂは、光軸Ｌ１を通る水平方向と略同一経線上に配置されている（図３参照）。
【００２０】
光源６１ａ、６１ｂから出射された光は、コリメータレンズ６３ａ、６３ｂによりそれぞれコリメートされた後、角膜Ｅｃに投影され、指標ｉ２０、ｉ３０が形成される（図４参照）。
【００２１】
第２投影光学系６５ａ〜６５ｄは、光軸Ｌ１に対しそれぞれ傾斜して配置されている。第２投影光学系６５ａ〜６５ｄは、赤外光源６６ａ〜６６ｄをそれぞれ有し、光軸Ｌ１を挟んで左右対称に配置され、眼Ｅに対して有限遠の指標を投影する。なお、第２投影光学系６５ａ、６５ｂは、光軸Ｌ１に対して上方に配置され、Ｙ方向に関して互いに同じ高さに配置されている。また、第２投影光学系６５ｃ、６５ｄは、光軸Ｌ１に対して下方に配置され、Ｙ方向に関して互いに同じ高さに配置されている。また、第２投影光学系６５ａ、６５ｂと、第２投影光学系６５ｃ、６５ｄは、光軸Ｌ１を挟んで上下対称な関係で配置されている。
【００２２】
ここで、光源６６ａ、６６ｂからの光は角膜Ｅｃの上部に向けて斜め上方向から照射され、光源６６ａ、６６ｂの虚像である指標ｉ４０、ｉ５０が形成される。また、光源６６ｃ、６６ｄからの光は角膜Ｅｃの下部に向けて斜め下方向から照射され、光源６６ｃ、６６ｄの虚像である指標ｉ６０、ｉ７０が形成される（図４参照）。
【００２３】
上記のような指標投影光学系によれば、指標ｉ１０は、眼Ｅの角膜頂点に形成される（図４参照）。また、第１投影光学系６０ａ、６０ｂによる指標ｉ２０、ｉ３０は、指標ｉ１０と同じ水平位置において、指標ｉ１０に関し左右対称に形成される。さらに、第２投影光学系６５ａ、６５ｂによる指標ｉ４０、ｉ５０は、指標ｉ１０より上方において、指標ｉ１０に関し左右対称に形成される。第２投影光学系６５ｃ、６５ｄによる指標ｉ６０、ｉ７０は、指標ｉ１０より下方において、指標ｉ１０に関し左右対称に形成される。
【００２４】
内部固視光学系７０は、可視光源（固視灯）７１、投光レンズ７３、可視反射・赤外透過のダイクロイックミラー７４、を有し、眼Ｅを正面方向に固視させるための光を眼Ｅに投影する。光源７１から発せられた可視光は、投光レンズ７３により平行光束に変換された後、ダイクロイックミラー７４により反射され、眼Ｅの眼底に投影される。
【００２５】
外部固視光学系７５ａ〜７５ｆは、ＸＹ方向に関して異なる位置に配置される複数の固視標を有し、被検眼の固視方向を誘導する。例えば、外部固視光学系７５ａ〜７５ｆは、可視光源（固視灯）７６ａ〜７６ｆを有し、光軸Ｌ１を中心とする同一円周上で、被検者から見て、２時、４時、６時、８時、１０、１２時の各位置に配置されている。
【００２６】
角膜下部を撮影する場合、固視灯（固視標）の位置が上方に設定され、眼Ｅの固視が上方向に誘導される。例えば、光源７６ａが点灯されると、眼Ｅは１２時方向に誘導され、撮影部位が角膜中心に対して６時の方向に設定される。また、光源７６ｂが点灯されると、眼Ｅは２時方向に誘導され、撮影部位が８時の方向に設定される。また、光源７６ｃが点灯されると、眼Ｅは１０時方向に誘導され、撮影部位が４時の方向に設定される。
【００２７】
角膜上部を撮影する場合、固視灯（固視標）の位置が下方に設定され、眼Ｅの固視が下方向に誘導される。例えば、光源７６ｄが点灯されると、眼Ｅは６時方向に誘導されるため、撮影部位が１２時の方向に設定される。また、光源７６ｅが点灯されると、眼Ｅは４時方向に誘導されるため、撮影部位が１０時の方向に設定される。また、光源７１ｆが点灯されると、眼Ｅは８時方向に誘導されるため、撮影部位が２時の方向に設定される。
【００２８】
図２に戻る。前眼部観察光学系８０は、対物レンズ８２、二次元撮像素子４０、を有する。図示なき前眼部照明光源により照明された前眼部は、ダイクロイックミラー７４、ハーフミラー５５、対物レンズ８２、ハーフミラー３８を介して二次元撮像素子４０に撮像される。また、同様に、正面投影光学系５０、第１投影光学系６０ａ，６０ｂと、第２投影光学系６５ａ〜６５ｄ、による角膜反射像は二次元撮像素子４０に受光される。
【００２９】
二次元撮像素子４０の出力は制御部９０に接続され、図４に示すように、モニタ９５には、二次元撮像素子４０によって撮像された前眼部像が表示される。なお、モニタ９５上に電子的に表示されるレチクルＬＴは、ＸＹアライメントの基準を示している。なお、前眼部観察光学系８０は、眼Ｅに対する撮影部３のアライメント状態を検出するための検出光学系を兼用する。
【００３０】
制御部９０は、内皮を撮影するための制御を含む装置全体の制御を行う。そして、制御部９０には、回転ノブ５ａ、撮影スイッチ５ｂ、ＸＹＺ駆動部６、二次元撮像素子４０、８４、各光源、記憶手段としてのメモリ９２、各種の操作が行うためのコントロール部９４、モニタ９５、が接続されている。なお、コントロール部９４には、例えば、複数の固視標からある固視標を選択するスイッチが設けられている。なお、固視標の選択について、選択される指標が自動的に順次切換えられるようにしてもよい。
【００３１】
例えば、制御部９０は、モニタ９５の表示を制御する。また、制御部９０は、アライメント指標の受光結果に基づいて眼Ｅに対する撮影部３のアライメント状態を検出する。そして、制御部９０は、その検出結果に基づいて撮影部３の移動を指令する信号を出力する。
【００３２】
具体的には、制御部９０は、検出結果に基づいてＸＹＺ駆動部６を制御し、ずれが許容範囲内に収まるように撮影部３を自動的に移動させる。また、制御部９０は、検出結果に基づいてモニタ９５を制御し、アライメントの誘導表示（例えば、インジケータ）を行う。
【００３３】
以上のような構成を備える装置において、その動作について説明する。なお、以下の説明においては、角膜頂点は、眼Ｅがある方向に固視されたときに角膜上の最も装置側に位置する部分として説明され、角膜中心は、眼Ｅが正面方向に固視されたときの角膜頂点に相当する角膜部分として説明される。
【００３４】
図４は角膜中心部の内皮を撮影する場合の前眼部観察画面の一例を示す図であり、図４（ａ）はアライメントずれがある場合の表示例であり、図４（ｂ）はアライメントが適正な状態における表示例である。
【００３５】
この場合、光源７１が点灯され、眼Ｅの固視方向が正面に誘導される。まず、検者は、被検者に固視標を注視させる。また、モニタ９５に表示された前眼部像を観察しながら、眼Ｅに対する撮影部４のアライメントを行う。
【００３６】
上記のようにしてラフなアライメントが行われると、図４（ａ）に示すように、拡散光による角膜指標像が撮像素子６４の受光面に検出される。制御部９０は、画像の左上の座標位置から、画面の右下に向かって輝点を探索する。そして、指標ｉ４０、ｉ５０、ｉ６０、ｉ７０が検出されるようになると、制御部９０は、検出された輝点の位置を検出する。
【００３７】
そして、制御部９０は、指標ｉ４０、ｉ５０、ｉ６０、ｉ７０からなる矩形の中心位置を略角膜頂点として検出し、ＸＹ方向におけるアライメントずれ方向／偏位量を検出する。そして、制御部９０は、駆動部６の駆動を制御し、アライメントずれが所定のアライメント許容範囲に入るように撮影部４をＸＹ方向に移動させる。これにより、広範囲での自動アライメントが可能となる。
【００３８】
以上のようにして撮影部４が移動され、指標像ｉ１０が検出されると、制御部７０は、上記指標像ｉ４０〜ｉ７０によるアライメントを終了し、指標像ｉ１０を用いたアライメントを行う。そして、制御部７０は、指標像ｉ１０の座標位置を略角膜頂点として検出し、ＸＹ方向におけるアライメントずれ方向／偏位量を検出する。そして、制御部９０は、駆動部６の駆動を制御し、アライメントずれが所定のアライメント許容範囲内に入るように撮影部４をＸＹ方向に移動させる。
【００３９】
また、上記のようにして指標像ｉ１０が検出されるようになると、同様に、無限遠の指標像ｉ２０、ｉ３０が検出される。そこで、制御部９０は、前述のように検出される無限遠の指標像ｉ２０、ｉ３０の間隔と有限遠の指標像ｉ６０、ｉ７０の間隔とを比較することによりＺ方向のアライメントずれ方向／偏位量を求める。そして、制御部９０は、Ｚ方向のアライメントずれが所定のアライメント許容範囲に入るように撮影部４をＺ方向に移動させる。
【００４０】
この場合、制御部９０は、測定部３が作動距離方向にずれた場合に、前述の無限遠指標ｉ２０、ｉ３０の間隔がほとんど変化しないのに対して、有限遠の指標像ｉ６０、ｉ７０の像間隔が変化するという特性を利用して、Ｚ方向のアライメントずれを求める（詳しくは、特開平６−４６９９９号参照）。なお、指標像ｉ６０、ｉ７０の代わりに、指標像ｉ４０、ｉ５０が利用されてもよい。また、光軸Ｌ１からの指標の距離（指標高さ）に基づいてＺアライメントが検出されてもよい。
【００４１】
前述したアライメント動作によって、ＸＹＺ方向のアライメントずれがアライメント完了の条件を満たしたら、制御部９０は、ＸＹＺ方向のアライメントが合致したと判定し、撮影開始のトリガ信号を発する。
【００４２】
制御部９０は、トリガ信号が発せられると、照明光源１２を発光させ、照明光による角膜内皮細胞像を二次元撮像素子４０にて撮像する。そして、制御部９０は、撮像された細胞像をメモリ９２に記憶すると共に、モニタ９５に内皮細胞像を表示する。
【００４３】
図５は角膜周辺部の内皮を撮影する場合において、アライメントが適正な状態の前眼部観察画面の一例を示す図であり、図５（ａ）は角膜の下部を撮影するとき、図５（ｂ）は角膜の上部を撮影するときを示している。
【００４４】
ここで、制御部９０は、複数の固視標から選択された固視標の位置に応じて、異なったアライメント指標を用いてアライメント状態を検出する。より具体的には、制御部９０は、選択された固視標の位置と略同じ方向から投影されたアライメント指標によりアライメント状態が検出されるように、検出に使用するアライメント指標を変更する。
【００４５】
角膜の下部を撮影するとき、上方に配置された固視標（光源７６ａ〜光源７６ｃ）が選択される。この場合眼Ｅは視軸として上方を向くので、指標像ｉ６０、ｉ７０の輝点は、角膜中心から下方に大きく離れた位置に形成され、さらには、虹彩上に形成される場合もある。
【００４６】
この場合、眼の形状的な特性（角膜中心から周辺に向かうにつれて曲率半径が大きくなる）により、指標像ｉ６０、ｉ７０の位置が規則正しく映らない場合がある。また、輝点が虹彩上に形成される場合、輝点形状が散乱により大きく歪む場合がある。上記のような場合、指標像ｉ６０、ｉ７０の位置検出精度が大きく低下する。このため、アライメント検出に用いられる指標像ｉ６０、ｉ７０の情報は、検出精度が低くなる。このような傾向は、眼Ｅは１２時方向に誘導される場合に顕著に現れる。
【００４７】
そこで、制御部９０は、固視位置が上方に設定された場合、無限遠の指標像ｉ２０、ｉ３０と、有限遠の指標像ｉ４０、ｉ５０との間隔を比較することによりＺ方向のアライメントずれを求める。そして、その検出結果に基づいて撮影部４の移動を指示する。この場合、上方固視時における輝点パターンが予め記憶され、記憶された輝点パターンを用いてアライメントに使用される輝点が特定される。
【００４８】
ここで、指標像ｉ２０、ｉ３０、指標像ｉ４０、ｉ５０は、角膜の中心部近傍に形成されるので、輝点の位置が規則正しく映り、また、歪みが少ない。よって、アライメント状態が正確に検出される。したがって、角膜の下部を撮影する場合、これらの指標像を用いてアライメント検出を行うことにより、スムーズなアライメントが可能となる。なお、上記指標像ｉ４０〜ｉ７０を用いたＸＹアライメントは、ラフなアライメントができればよいので、中心撮影と同様に行ってもよい。
【００４９】
一方、角膜の上部を撮影するとき、下方に配置された固視標（光源７６ｄ〜光源７６ｆ）が選択される。この場合、眼Ｅは視軸として下方を向くので、指標像ｉ４０、ｉ５０の輝点は、角膜中心から上方に大きく離れた位置に形成され、さらには、虹彩上に形成される場合もある。
【００５０】
このため、上記下部を撮影する場合と同様に、指標像ｉ４０、ｉ５０が正しく映らない場合がある。また、虹彩により輝点形状が大きく歪む場合がある。よって、指標像ｉ４０、ｉ５０を用いたアライメント検出の精度が低下する。
【００５１】
そこで、制御部９０は、固視位置が下方に設定された場合、無限遠の指標像ｉ２０、ｉ３０と、有限遠の指標像ｉ６０、ｉ７０との間隔を比較することによりＺ方向のアライメント偏位量を求める。そして、そのアライメント検出結果に基づいて撮影部４の移動を指示する。この場合、下方固視時における輝点パターンが予め記憶され、記憶された輝点パターンを用いてアライメントに使用される輝点が特定される。
【００５２】
ここで、角膜中心の下方に形成された指標像ｉ６０、ｉ７０、及び角膜中心と水平に形成された指標像ｉ２０、ｉ３０は、角膜中心の近傍に形成され、歪みが少ない。よって、アライメント状態が正確に検出される。したがって、角膜の上部を撮影する場合、これらの指標像を用いてアライメント検出を行うことにより、スムーズなアライメントが可能となる。
【００５３】
なお、上記Ｚアライメント検出を行う場合、Ｚ検出に用いない輝点に対応する光源が消灯されてもよい。この場合、上部が撮影される場合、光源６５ｃ、光源６５ｄが消灯され、下部が撮影される場合、光源６５ａ、光源６５ｂが消灯される。
【００５４】
なお、本発明は、眼Ｅの固視方向が左右に振られるような場合においても、適用可能である。例えば、装置から見て左方に配置された固視標が選択された場合、左方向から投影されたアライメント指標を用いてアライメント状態を検出する。また、装置から見て右方に配置された固視標が選択された場合、右方向から投影されたアライメント指標を用いてアライメント状態を検出する。
【００５５】
例えば、左方に配置された光源７６ｂが選択された場合、Ｘ方向に関して、光軸Ｌ１からの指標ｉ２０の距離と、光軸Ｌ１からの指標ｉ４０（ｉ６０）の距離と、が比較され、Ｚアライメント状態が検出される。この場合、斜め左上方向に眼Ｅが誘導されるので、指標ｉ４０の使用が好ましい。
【００５６】
また、以上の説明において、無限遠と有限遠の指標を比較する構成に限らず、有限遠の高さを利用して作動距離が検出されるようにしてもよい。
【００５７】
また、以上の説明においては、点状の指標像を投影する構成としたが、これに限るものではなく、例えば、スリット状の指標を投影するようにしてもよい。この場合、スリットの長さやスリット間の間隔が作動距離の検出に利用される。また、ある方向（例えば、上下）に形成されるスリット指標を光軸Ｌ１に対して対称に投影し、固視位置に応じて、スリット指標における光軸Ｌ１より上側部分／下側部分を適宜アライメント検出に用いるようにしてもよい。
【００５８】
なお、以上の説明においては、角膜内皮細胞撮影装置を例にとって説明したが、ケラトメータでのサジタル測定、眼底カメラでの眼底周辺の撮影など固視方向が大きく振られた状態で眼の周辺部に関する測定・撮影を行う装置であれば、本発明の適用が可能である。
【図面の簡単な説明】
【００５９】
【図１】本実施形態に係る眼科装置の外観構成図である。
【図２】撮影部に収納された光学系を上方から見たとき光学配置と，制御系の構成の一例を示す概略構成図である。
【図３】第１投影光学系、第２投影光学系、外部固視光学系を被検者側からみたときの図である。
【図４】角膜中心部の内皮を撮影する場合の前眼部観察画面の一例を示す図である。
【図５】角膜周辺部の内皮を撮影する場合において、アライメントが適正な状態の前眼部観察画面の一例を示す図である。
【符号の説明】
【００６０】
３  移動台
６  ＸＹＺ駆動部
６０ａ，６０ｂ  第１投影光学系
６５ａ〜６５ｄ  第２投影光学系
７５ａ〜７５ｆ  外部固視光学系
８０  前眼部観察光学系
９０  制御部
【図１】
0005643000.tif 000002
【図２】
0005643000.tif 000003
【図３】
0005643000.tif 000004
【図４】
0005643000.tif 000005
【図５】
0005643000.tif 000006